【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
式（Ｉ）のスチレン誘導体：
【化１】
2018513907.tif 000001
（式中、Ｒ１およびＲ２は、同一であっても異なっていてもよく、以下からなる群から選択されるメンバーを表す：
ａ）単結合；
ｂ）−（ＣＨ２）ｎ−（式中、ｎは１〜１２の整数を表す）；
ｃ）−（ＣＨ２ＣＨ２Ｙ）ｎ−（式中、ｎは１〜１２の整数を表し、Ｙは独立して酸素または硫黄である）；
ｄ）−ＣＨ２−（ＣＨ２ＣＨ２Ｙ）ｎ−ＣＨ２−（式中、ｎは１〜１２の整数を表し、Ｙは独立して酸素または硫黄である）；
ｅ）−（ＣＨ２ＣＨ２ＮＲ）ｎ−（式中、ｎは１〜１２の整数を表し、Ｒは独立して１〜１０個の炭素原子を含有するアルキル基または６〜１０個の炭素原子を含有するアリールまたはアラルキル基を表す）；
ｆ）−ＣＨ２−（ＣＨ２ＣＨ２ＮＲ）ｎ−ＣＨ２−（式中、ｎは１〜１２の整数を表し、Ｒは独立して１〜１０個の炭素原子を含有するアルキル基または６〜１０個の炭素原子を含有するアリールまたはアラルキル基を表す）；
ｇ）−（ＣＨ２ＳｉＲ２）ｎ−（式中、ｎは１〜１２の整数を表し、Ｒは独立して１〜１０個の炭素原子を含有するアルキル基または６〜１０個の炭素原子を含有するアリール基またはアラルキル基を表す）；
ｈ）−ＣＨ２−（ＣＨ２ＳｉＲ２）ｎ−ＣＨ２−（式中、ｎは１〜１２の整数を表し、Ｒは独立して１〜１０個の炭素原子を含有するアルキル基または６〜１０個の炭素原子を含有するアリール基またはアラルキル基を表す）；
ｉ）−（ＯＳｉＲ２）ｎ−（式中、ｎは１〜１２の整数を表し、Ｒは独立して１〜１０個の炭素原子を含有するアルキル基または６〜１０個の炭素原子を含有するアリール基またはアラルキル基を表す）；および
ｊ）−ＣＨ２−（ＯＳｉＲ２）ｎ−ＣＨ２−（式中、ｎは１〜１２の整数を表し、Ｒは独立して１〜１０個の炭素原子を含有するアルキル基または６〜１０個の炭素原子を含有するアリール基またはアラルキル基を表す）；
Ｒ３、Ｒ４、Ｒ５およびＲ６は同一であっても異なっていてもよく、１〜１０個の炭素原子を含有するアルキル基または６〜１０個の炭素原子を含有するアリールまたはアラルキル基を表し、かつ
Ｒ７およびＲ８は同一であっても異なっていてもよく、各Ｒ７およびＲ８は独立して１〜１０個の炭素原子を含有するアルキル基、または６〜１０個の炭素原子を含有するアリールまたはアラルキル基を表す）。
【請求項２】
式（１ａ）または式（Ｉｂ）
【化２】
2018513907.tif 000002
のものである、請求項１に記載のスチレン誘導体。
【請求項３】
Ｒ１は、
ａ）単結合；および
ｂ）−（ＣＨ２）ｎ−（式中、ｎは１〜１２の整数を表す）
からなる群より選択される、請求項１または請求項２に記載のスチレン誘導体。
【請求項４】
ｎは１または２である請求項３に記載のスチレン誘導体。
【請求項５】
ｎは１である請求項４に記載のスチレン誘導体。
【請求項６】
Ｒ１は−（ＣＨ２）ｎ−であり、ここで、ｎは１〜５の整数である、請求項３に記載のスチレン誘導体。
【請求項７】
ｎは１〜３の整数である請求項６に記載のスチレン誘導体。
【請求項８】
ｎは１である請求項７に記載のスチレン誘導体。
【請求項９】
Ｒ２はｂ）−（ＣＨ２）ｎ−であり、ここで、ｎは１〜１２の整数である、請求項１乃至８のいずれか一項に記載のスチレン誘導体。
【請求項１０】
ｎは１〜５の整数である請求項９に記載のスチレン誘導体。
【請求項１１】
ｎは１〜３の整数である請求項１０に記載のスチレン誘導体。
【請求項１２】
ｎは２である請求項１１に記載のスチレン誘導体。
【請求項１３】
Ｒ３、Ｒ４、Ｒ５、およびＲ６は同一であるかまたは異なっており、かつ−ＣＨ３または−Ｃ６Ｈ５を表す請求項１乃至１２のいずれか一項に記載のスチレン誘導体。
【請求項１４】
Ｒ３、Ｒ４、Ｒ５、およびＲ６の全てがＣＨ３を表す請求項１３に記載のスチレン誘導体。
【請求項１５】
Ｒ７およびＲ８のすべてがＣＨ３を表す請求項１乃至１４のいずれか一項に記載のスチレン誘導体。
【請求項１６】
前記スチレン誘導体は、式（１）、（２）、（３）、（４）、（５）または（６）のものである
【化３】
2018513907.tif 000003
請求項１５に記載のスチレン誘導体。
【請求項１７】
前記スチレン誘導体は、式（１）、（２）、（４）または（５）のものである請求項１６に記載のスチレン誘導体。
【請求項１８】
前記スチレン誘導体は、式（１）、（４）または（５）のものである請求項１７に記載のスチレン誘導体。
【請求項１９】
式Ｉ：
【化４】
2018513907.tif 000004
（式中、Ｒ１およびＲ２は、同一であっても異なっていてもよく、以下からなる群から選択されるメンバーを表す：
ａ）単結合；
ｂ）−（ＣＨ２）ｎ−（式中、ｎは１〜１２の整数を表す）；
ｃ）−（ＣＨ２ＣＨ２Ｙ）ｎ−（式中、ｎは１〜１２の整数を表し、Ｙは独立して酸素または硫黄である）；
ｄ）−ＣＨ２−（ＣＨ２ＣＨ２Ｙ）ｎ−ＣＨ２−（式中、ｎは１〜１２の整数を表し、Ｙは独立して酸素または硫黄である）；
ｅ）−（ＣＨ２ＣＨ２ＮＲ）ｎ−（式中、ｎは１〜１２の整数を表し、Ｒは独立して１〜１０個の炭素原子を含有するアルキル基または６〜１０個の炭素原子を含有するアリールまたはアラルキル基を表す）；
ｆ）−ＣＨ２−（ＣＨ２ＣＨ２ＮＲ）ｎ−ＣＨ２−（式中、ｎは１〜１２の整数を表し、Ｒは独立して１〜１０個の炭素原子を含有するアルキル基または６〜１０個の炭素原子を含有するアリールまたはアラルキル基を表す）；
ｇ）−（ＣＨ２ＳｉＲ２）ｎ−（式中、ｎは１〜１２の整数を表し、Ｒは独立して１〜１０個の炭素原子を含有するアルキル基または６〜１０個の炭素原子を含有するアリール基またはアラルキル基を表す）；
ｈ）−ＣＨ２−（ＣＨ２ＳｉＲ２）ｎ−ＣＨ２−（式中、ｎは１〜１２の整数を表し、Ｒは独立して１〜１０個の炭素原子を含有するアルキル基または６〜１０個の炭素原子を含有するアリール基またはアラルキル基を表す）；
ｉ）−（ＯＳｉＲ２）ｎ−（式中、ｎは１〜１２の整数を表し、Ｒは独立して１〜１０個の炭素原子を含有するアルキル基または６〜１０個の炭素原子を含有するアリール基またはアラルキル基を表す）；および
ｊ）−ＣＨ２−（ＯＳｉＲ２）ｎ−ＣＨ２−（式中、ｎは１〜１２の整数を表し、Ｒは独立して１〜１０個の炭素原子を含有するアルキル基または６〜１０個の炭素原子を含有するアリール基またはアラルキル基を表す）；
Ｒ３、Ｒ４、Ｒ５およびＲ６は同一であっても異なっていてもよく、１〜１０個の炭素原子を含有するアルキル基または６〜１０個の炭素原子を含有するアリールまたはアラルキル基を表し、かつ
Ｒ７およびＲ８は同一であっても異なっていてもよく、各Ｒ７およびＲ８は独立して１〜１０個の炭素原子を含有するアルキル基、または６〜１０個の炭素原子を含有するアリールまたはアラルキル基を表す）のスチレン誘導体の調製のための方法であって、前記方法は、
式（ＩＩ）のシラン
【化５】
2018513907.tif 000005
（式中、Ｘ１は、塩素、臭素およびヨウ素原子から選択され、かつＲ２、Ｒ３、Ｒ４、Ｒ５、Ｒ６、Ｒ７およびＲ８は上記で定義したとおりである）を
式（ＩＩＩ）のマグネシウム化合物
【化６】
2018513907.tif 000006
（式中、Ｘ２は、塩素、臭素およびヨウ素原子から選択され、かつＲ１は上記で定義したとおりである）
と反応させる方法。
【請求項２０】
前記反応は、不活性ガス雰囲気で有機溶媒中で行われる請求項１９に記載の方法。
【請求項２１】
前記反応は脂肪族または環状エーテル溶媒にて行われる請求項２０に記載の方法。
【請求項２２】
前記溶媒はテトラヒドロフラン（ＴＨＦ）である請求項２１に記載の方法。
【請求項２３】
スチレン誘導体のコポリマーの調製における、請求項１乃至１８のいずれか一項に記載のスチレン誘導体の使用。
【請求項２４】
前記コポリマーは、
Ａ）コポリマーの重量の２０重量％〜９９．９５重量％の１種以上のジエンモノマー；
Ｂ）コポリマーの重量の０重量％〜６０重量％の１種以上のビニル芳香族モノマー；および
Ｃ）コポリマーの重量の０．０５重量％〜５０重量％の式（Ｉ）：
【化７】
2018513907.tif 000007
（式中、Ｒ１およびＲ２は同じであっても異なっていてもよい）
の１種以上のスチレン誘導体、
に由来する繰り返し単位を含む、請求項２３に記載の使用。